(57)【要約】【課題】簡易な方式で異常レベルの峻別が可能なプレスシステムおよびプレスシステムの制御方法を提供する。【解決手段】プレスシステムは、ワークをプレス加工する際の異常発生を検出する検出部と、検出部により検出された異常と異常が発生した後のプレス動作の停止期間とに基づいて異常レベルを判断する異常判断部とを備える。【選択図】図６
2017024027.tif 000002
【特許請求の範囲】
【請求項１】
ワークをプレス加工する際の異常発生を検出する検出部と、
前記検出部により検出された異常と前記異常が発生した後のプレス動作の停止期間とに基づいて異常レベルを判断する異常判断部とを備える、プレスシステム。
【請求項２】
前記異常判断部の判断結果に基づいて異常および異常レベルの少なくとも一方を発報する異常発報部をさらに備える、請求項１記載のプレスシステム。
【請求項３】
前記異常判断部の判断結果に基づいて異常データを保存する異常保存部をさらに備える、請求項１記載のプレスシステム。
【請求項４】
前記検出部により検出された異常内容を判断する異常内容判断部をさらに備え、
前記異常保存部は、前記異常内容判断部および前記異常判断部の判断結果に基づいて前記異常データを保存する、請求項３記載のプレスシステム。
【請求項５】
前記異常保存部は、
前記異常判断部の判断結果に従って前記異常データを保存するか否かを問い合わせる問合わせ部と、
前記問合わせ部に対するユーザの指示に従って前記異常データの保存処理を実行する実行部とを含む、請求項３記載のプレスシステム。
【請求項６】
前記プレス動作の停止期間をカウントするカウント部をさらに備え、
前記カウント部は、所定のプレス動作が実行された場合にはカウントを停止しない、請求項１記載のプレスシステム。
【請求項７】
ワークをプレス加工する際の異常発生信号を受信するステップと、
受信された異常発生信号と前記異常発生信号が発生した後のプレス動作の停止期間情報とに基づいて異常レベルを判断するステップとを備える、プレスシステムの制御方法。
【請求項８】
前記判断の結果に基づいて異常および異常レベルの少なくとも一方を発報するように指示する発報指示データを送信するステップとをさらに備える、請求項７記載のプレスシステムの制御方法。
【発明の詳細な説明】
【技術分野】
【０００１】
本発明は、プレスシステムであって、特にワークをプレスするプレスシステムに関するものである。
【背景技術】
【０００２】
従来、例えばトランスファプレスのサーボフィーダ装置において、サーボモータを制御しているコントローラは、サーボ系の状態量（偏差、軸間ずれ量、アンプ異常、オーバラン、センサ異常、システムの安全に係わる状態量等）を常時監視しており、これら状態量が予め設定された範囲を超える異常状態が検出されると、この異常状態を外部表示器に表示して装置を停止させるといった異常処理を行っている。
【０００３】
この点で、例えば、特開平９−３１４２５９号公報および特開２０００−６８５４号公報等においては、異常時の際の状態を示すデータを保存して解析処理に利用する方式が知られている。
【０００４】
一方で、プレス機械では、プレス加工の状態によっては異常状態が生じ易く、また、１つの異常で関連する複数の異常が生じる場合もあり、異常レベルの峻別が重要となってくる。
【０００５】
この点で、特開２００４−３６５０６号公報においては、異常事象の発生頻度を分析して、発生頻度の高い異常事象のデータを優先して保存する方式が提案されている。
【先行技術文献】
【特許文献】
【０００６】
【特許文献１】特開平９−３１４２５９号公報
【特許文献２】特開２０００−６８５４号公報
【特許文献３】特開２００４−３６５０６号公報
【発明の概要】
【発明が解決しようとする課題】
【０００７】
しかしながら、プレスシステムにおいては、異常事象の発生頻度が高いからといって異常の重要度が高いか否かは判断できず、異常事象の発生頻度が高い場合であっても異常の重要度としては低い可能性もあり得る。
【０００８】
本発明は、上記の課題を解決するためになされたものであって、簡易な方式で異常レベルの峻別が可能なプレスシステムおよびプレスシステムの制御方法を提供することを目的とする。
【課題を解決するための手段】
【０００９】
ある局面に従うプレスシステムは、ワークをプレス加工する際の異常発生を検出する検出部と、検出部により検出された異常と異常が発生した後のプレス動作の停止期間とに基づいて異常レベルを判断する異常判断部とを備える。
【００１０】
本発明によれば、異常が発生した後のプレス動作の停止期間に基づいて異常レベルを判断するため簡易な方式で異常レベルを判断することが可能である。
【００１１】
好ましくは、異常判断部の判断結果に基づいて異常および異常レベルの少なくとも一方を発報する異常発報部をさらに備える。
【００１２】
本発明によれば、異常判断部の判断結果に基づいて異常および異常レベルの少なくとも一方を発報することにより異常および異常レベルの少なくとも一方を認知することが可能である。
【００１３】
好ましくは、異常判断部の判断結果に基づいて異常データを保存する異常保存部をさらに備える。
【００１４】
本発明によれば、異常判断部の判断結果に基づいて異常データを保存することで異常レベルの高い異常データを保存可能なため、確保するメモリの容量を低減することが可能である。
【００１５】
好ましくは、検出部により検出された異常内容を判断する異常内容判断部をさらに備える。異常保存部は、異常内容判断部および異常判断部の判断結果に基づいて異常データを保存する。
【００１６】
本発明によれば、異常内容判断部および異常判断部の判断結果に基づいて異常データを保存するため効率的に異常データを保存することが可能である。
【００１７】
好ましくは、異常保存部は、異常判断部の判断結果に従って異常データを保存するか否かを問い合わせる問合わせ部と、問合わせ部に対するユーザの指示に従って異常データの保存処理を実行する実行部とを含む。
【００１８】
本発明によれば、ユーザに保存の有無を問い合わせて、保存の意思を確認しつつ、指示に従って異常データを保存するためユーザの意思を尊重しつつ異常データを確実に保存することが可能である。
【００１９】
好ましくは、プレス動作の停止期間をカウントするカウント部をさらに備える。カウント部は、所定のプレス動作が実行された場合にはカウントを停止しない。
【００２０】
本発明によれば、所定のプレス動作が実行された場合にはカウントを停止しないことにより、運転再開（復旧）ではない所定のプレス動作により異常レベルの判定が誤判定とならないようにすることが可能であり、判定の精度を高くすることが可能である。
【００２１】
ある局面に従うプレスシステムの制御方法は、ワークをプレス加工する際の異常発生信号を受信するステップと、受信された異常発生信号と異常発生信号が発生した後のプレス動作の停止期間情報とに基づいて異常レベルを判断するステップとを備える。
【００２２】
本発明によれば、異常が発生した後のプレス動作の停止期間に基づいて異常レベルを判断するため簡易な方式で異常レベルを判断することが可能である。
【００２３】
好ましくは、判断結果に基づいて異常および異常レベルの少なくとも一方を発報するように指示する発報指示データを送信するステップとをさらに備える。
【００２４】
本発明によれば、判断の結果に基づいて異常および異常レベルの少なくとも一方を発報するように発報指示データを送信することにより異常および異常レベルの少なくとも一方を認知することが可能である。
【発明の効果】
【００２５】
本発明のプレスシステムおよびプレスシステムの制御方法は、簡易な方式で異常レベルの峻別が可能である。
【図面の簡単な説明】
【００２６】
【図１】実施形態１に基づくプレスシステムの構成を説明する図である。
【図２】実施形態１に基づくプレス装置１０の斜視図である。
【図３】プレス装置１０の要部を示す側断面図である。
【図４】プレス装置１０の別の要部を示す一部断面の平面図である。
【図５】実施形態１に基づくプレス装置１０の構成の一部を説明する図である。
【図６】実施形態１に基づく制御装置４０の機能ブロックを説明する図である。
【図７】実施形態１に基づくプレス装置１０の異常判断の具体例を説明する図である。
【図８】実施形態１に基づくプレスシステムの異常レベルを処理するフローを説明する図である。
【図９】実施形態１に基づく異常データの保存について説明する概念図である。
【図１０】実施形態２に基づく制御装置４０Ａの機能ブロックを説明する図である。
【図１１】実施形態２に基づく問合わせ画面を説明する図である。
【図１２】実施形態２に基づくプレスシステムの異常レベルを処理するフローを説明する図である。
【図１３】実施形態３に基づく制御装置４０Ｂの機能ブロックを説明する図である。
【図１４】実施形態３に基づくプレスシステムの異常レベルを処理するフローを説明する図である。
【図１５】実施形態３に基づく異常の異常内容の種別分類を説明する図である。
【図１６】実施形態に基づくプレスシステムの別の形態を説明する図である。
【発明を実施するための形態】
【００２７】
本実施の形態について図面を参照しながら詳細に説明する。なお、図中同一または相当部分には同一符号を付し、その説明は繰り返さない。
【００２８】
本例においては、プレス機械に関し、順送型のプレス機械を例に挙げて説明する。
（実施形態１）
＜全体構成＞
図１は、実施形態１に基づくプレスシステムの構成を説明する図である。
【００２９】
図１に示されるように、プレスシステムは、アンコイラ１００と、レベラーフィーダ２００と、プレス装置１０と、搬送コンベア１２０とを含む。
【００３０】
アンコイラ１００には、コイルが巻き付けられておりレベラーフィーダ２００を介してプレス装置１０にコイルが搬送される。本例においては、ワーク（材料）としてコイルをプレス加工する場合について説明する。
【００３１】
レベラーフィーダ２００は、アンコイラ１００からプレス装置１０に搬送するコイルの送り高さの位置を調整するとともにプレス装置１０に対してコイルを所定タイミングで搬送する。
【００３２】
プレス装置１０は、レベラーフィーダ２００から搬送されたコイルに対して選択された成形条件（プレスモーション）に従ってプレス加工する。
【００３３】
搬送コンベア１２０は、プレス装置１０にてプレス加工により成形したワークを搬送する。例えば、次のプレス機械に搬送することも可能である。
【００３４】
プレスシステムの各部は同期しており、一連の作業が順次連続して実行される。アンコイラ１００からコイルがレベラーフィーダ２００を介してプレス装置１０に搬送される。そして、プレス装置１０でプレス加工され、加工されたワークは搬送コンベア１２０により搬送される。上記一連の処理が繰り返される。
【００３５】
なお、上記プレスシステムの構成は、一例であり、特に当該構成に限られるものではない。
【００３６】
＜プレス機械＞
図２は、実施形態１に基づくプレス装置１０の斜視図である。
【００３７】
図２に示されるように、一例として順送型のプレス機械が示されている。本例においてはプレス装置１０としてサーボプレスが示されている。
【００３８】
プレス装置１０は、本体フレーム２と、スライド２０と、ベッド４と、ボルスタ５と、コントロールパネル６と、制御装置４０とを備える。
【００３９】
プレス装置１０の本体フレーム２の略中央部には、スライド２０が上下動自在に支承されている。スライド２０に対する下方には、ベッド４上に取り付けられたボルスタ５が配置されている。本体フレーム２の前方には、コントロールパネル６が設けられている。本体フレーム２の側方には、コントロールパネル６が接続された制御装置４０が設けられている。
【００４０】
スライド２０の下面には、金型を固定するためのボルスタプレート２２Ａが設けられている。金型の内の上金型３２Ａは、ボルスタプレート２２Ａに装着されている。ボルスタ５の上面には、金型を固定するためのボルスタプレート２２Ｂが設けられている。ワークを加工するための金型の内の下金型３２Ｂは、ボルスタプレート２２Ｂに装着されている。こうして、これからの金型に対応する所定のワークを下金型３２Ｂに位置させ、上金型３２Ａをスライド２０と共に降下させてプレス加工する。
【００４１】
また、プレス装置１０本体と通信可能に設けられた外部から遠隔操作可能なリモコン７０が設けられている。リモコン７０を操作することにより各種の設定操作を行うことが可能である。リモコン７０は、制御装置４０と通信し、リモコン７０からの指示に従ってプレス装置１０を動作させることが可能である。
【００４２】
本例においては、リモコン７０において、スライドを上下動作させることが可能な上ボタン７２および下ボタン７４と、運転モードを切り替えることが可能なモード切替ボタン７６とが設けられている場合が示されている。たとえば、モード切替ボタン７６を選択することにより、一例として通常のプレス加工を実行する生産モードを切り替えて寸動運転が可能な寸動運転モードに切り替えることが可能である。当該寸動運転モードにおいては、上ボタン７２および下ボタン７４を操作することによりスライドの上下動作によりスライド位置の高さの調節が可能である。なお、本例においては、リモコン７０を利用して寸動運転を実行する場合について一例として説明するが、特にリモコン７０を用いることなく、後述するコントロールパネル６から操作することも可能である。
【００４３】
コントロールパネル６は、プレス装置１０を制御するために必要な各種データを入力するものであり、データを入力するためのスイッチやテンキー、および設定画面やプレス装置１０から出力されるデータを表示する表示器を有している。
【００４４】
表示器としては、透明タッチスイッチパネルを液晶表示器やプラズマ表示器等のグラフィック表示器を前面に装着した、プログラマブル表示器が採用されている。
【００４５】
なお、このコントロールパネル６は、予め設定されたデータを記憶したＩＣカード等の外部記憶媒体からのデータ入力装置、または無線や通信回線を介してデータを送受信する通信装置を備えていてもよい。
【００４６】
なお、本例においては、プレス装置１０に対してコントロールパネル６およびリモコン７０が設けられる構成について説明するが、上記プレス機械の構成は一例であり、例えば一方のみ設けられた構成とすることも可能であり、特に当該構成に限られるものではない。
【００４７】
図３は、プレス装置１０の要部を示す側断面図である。
図４は、プレス装置１０の別の要部を示す一部断面の平面図である。
【００４８】
図３に示されるように、プレス装置１０は、サーボプレスであり、サーボモータ１２１と、球面孔３３Ａと、ねじ軸３７と、球体部３７Ａと、ねじ部３７Ｂと、コンロッド本体３８と、雌ねじ部３８Ａと、コンロッド３９と、メインシャフト１１０と、エキセン部１１０Ａと、サイドフレーム１１１と、軸受部１１２〜１１４と、メインギア１１５と、動力伝達軸１１６と、伝達ギア１１６Ａと、軸受部１１７，１１８と、プーリ１１９とをさらに有する。
【００４９】
プレス装置１０では、サーボモータ１２１によりスライド２０を駆動している。スライド２０の上部に形成された球面孔３３Ａ内には、ダイハイト調整用のねじ軸３７の下端に設けられた球体部３７Ａが抜け止めされた状態で回動自在に挿入されている。球面孔３３Ａおよび球体部３７Ａにより、球状継手が構成されている。ねじ軸３７のねじ部３７Ｂは、上方に向けてスライド２０から露出し、ねじ軸３７の上方に設けたコンロッド本体３８の雌ねじ部３８Ａに螺合している。ねじ軸３７およびコンロッド本体３８により、伸縮自在なコンロッド３９が構成されている。
【００５０】
なお、ダイハイトとは、スライド２０を下死点にしたときのスライド下面からボルスタ上面の距離をいう。
【００５１】
コンロッド３９の上部は、メインシャフト１１０に設けられたクランク状のエキセン部１１０Ａに回動自在に連結されている。メインシャフト１１０は、本体フレーム２を構成する左右一対の厚板状のサイドフレーム１１１間において、前後３箇所の軸受部１１２，１１３，１１４で支承されている。メインシャフト１１０の後部側には、メインギア１１５が取り付けられている。
【００５２】
メインギア１１５は、その下方に設けられた動力伝達軸１１６の伝達ギア１１６Ａと噛合している。動力伝達軸１１６は、サイドフレーム１１１間において、前後２箇所の軸受部１１７，１１８で支承されている。動力伝達軸１１６の後端には、従動側のプーリ１１９が取り付けられている。プーリ１１９は、その下方に配置されたサーボモータ１２１で駆動される。
【００５３】
プレス装置１０は、ブラケット１２２と、出力軸１２１Ａと、プーリ１２３と、ベルト１２４と、ブラケット１２５と、位置検出器１２６と、ロッド１２７と、位置センサ１２８と、補助フレーム１２９と、ボルト１３１，１３２とをさらに有する。
【００５４】
サーボモータ１２１は、略Ｌ字形状のブラケット１２２を介してサイドフレーム１１１間に支持されている。サーボモータ１２１の出力軸１２１Ａは、プレス装置１０の前後方向に沿って突出しており、出力軸１２１Ａに設けられた駆動側のプーリ１２３と従動側のプーリ１１９に巻回されたベルト１２４により動力が伝達される。
【００５５】
また、スライド２０の背面側には、上下２箇所からサイドフレーム１１１間に向けて後方に突出した一対のブラケット１２５が取り付けられている。上下のブラケット１２５間には、リニアスケール等の位置検出器１２６を構成するロッド１２７が取り付けられている。このロッド１２７には、スライド２０の上下位置を検出するためのスケールが設けられており、同じく位置検出器１２６を構成する位置センサ１２８に上下動自在に嵌挿されている。位置センサ１２８は、一方のサイドフレーム１１１に設けられた補助フレーム１２９に固定されている。
【００５６】
補助フレーム１２９は、上下方向に縦長に形成されており、下部がボルト１３１によりサイドフレーム１１１に取り付けられ、上部が上下方向に長い長孔内に挿入されたボルト１３２により上下方向に摺動自在に支持されている。このように補助フレーム１２９は、上下いずれか一方側（本実施形態では下側）のみがサイドフレーム１１１に固定され、他方側が上下動自在に支持されているため、サイドフレーム１１１の温度変化による伸縮の影響を受けないようになっている。これにより、位置センサ１２８は、サイドフレーム１１１のそのような伸縮の影響を受けずに、スライド位置およびダイハイト位置を正確に検出可能としている。
【００５７】
一方、スライド２０のスライド位置およびダイハイトは、スライド２０内に設けられたスライド位置調整機構１３３によって調整される。スライド位置調整機構１３３は、図４にも示すように、ねじ軸３７の球体部３７Ａの外周にピン３７Ｃを介して取り付けられたウォームホイール１３４と、ウォームホイール１３４と噛合するウォームギア１３５と、ウォームギア１３５の端部に取り付けられた入力ギア１３６と、入力ギア１３６に噛合する出力ギア１３７を有したインダクションモータ１３８とで構成される。インダクションモータ１３８は、軸方向長さが短いフラット形状とされ、コンパクトに構成されている。インダクションモータ１３８の回転動をウォームホイール１３４を介してねじ軸３７を回動させることによって調整している。
【００５８】
＜プレス装置の構成＞
図５は、実施形態１に基づくプレス装置１０の構成の一部を説明する図である。
【００５９】
図５において、制御装置４０は、ＣＰＵ（Central Processing Unit）４２と、一時メモリ４４と、メモリ４５と、通信回路４６とを含む。
【００６０】
また、制御装置４０と通信可能に設けられたリモコン７０が設けられている。
また、プレス装置１０には、異常を検出するためのセンサ５０が設けられる。
【００６１】
制御装置４０は、プレス装置１０の異常を検出するセンサ５０からの検出信号の入力を受ける。なお、ここでは、プレス装置１０の異常を検出するセンサとして１つのセンサについて説明するが、特にこれに限られず、プレス装置１０の種々の異常を検出する複数のセンサを設けることが可能である。
【００６２】
通信回路４６は、リモコン７０と通信可能に設けられている。なお、通信回路４６は、ネットワークを介して外部装置との間でデータ通信することも可能である。
【００６３】
ＣＰＵ４２は、メモリ４５に格納されている各種プログラムに基づいてプレス装置１０全体を制御する。
【００６４】
一時メモリ４４は、一例として循環型のリングバッファを利用し、一例としてプレス装置１０の状態量を予め設定されるサンプリング周期にて格納する。プレス装置１０の状態量としては、サーボ系の状態量、スライドの偏心量、プレス荷重値等のプレス装置の安全に係わる状態量を含む。
【００６５】
そして、サンプリング周期にて順次、一時メモリ４４に格納することにより異常が発生した後だけでなく、異常発生前のプレス装置１０の状態量も取得することが可能である。
【００６６】
なお、本例においては、一時メモリ４４として、循環型のリングバッファを利用する場合について説明するが、特にこれに限られずスタック型であってもよく、特にその方式については限定されない。
【００６７】
メモリ４５は、プレス装置１０の各種のプログラムを格納する記憶部であるとともに、一時メモリ４４に保存された異常データを格納する。
【００６８】
＜プレス装置の制御装置４０の機能構成＞
図６は、実施形態１に基づく制御装置４０の機能ブロックを説明する図である。
【００６９】
図６に示されるように、制御装置４０は、プレス制御部４００と、検出部４０２と、異常判断部４０４と、異常保存部４０６と、カウント部４１２と、異常発報部４１６とを含む。
【００７０】
プレス制御部４００は、装置全体を制御する。例えば、メモリ４５に格納されている所定のモーションプログラムに基づいてサーボ系を制御して生産モードにおけるプレス加工を実行する。また、プレス制御部４００は、指示に従い寸動運転モードにおいて寸動運転を実行する。
【００７１】
検出部４０２は、一例としてセンサ５０の検出信号に基づいてプレス装置１０の異常を検出する。
【００７２】
異常判断部４０４は、検出部４０２で検出したプレス装置１０の異常の異常レベルを判断する。
【００７３】
異常保存部４０６は、異常判断部４０４の判断結果に基づいて異常データを保存する。具体的には、一時メモリ４４に格納されている異常データをメモリ４５に格納する。
【００７４】
カウント部４１２は、異常が発生した後のプレス動作の停止期間をカウントする。
異常発報部４１６は、異常判断部４０４の判断結果に基づいて異常および異常レベルの少なくとも一方を発報する。
【００７５】
＜異常判断の具体例＞
図７は、実施形態１に基づくプレス装置１０の異常判断の具体例を説明する図である。
【００７６】
図７（Ａ）を参照して、生産モードによるプレス加工の運転中に異常が発生した場合が示されている。そして、当該異常が発生してプレス装置１０が停止してから運転が再開（復旧）されるまでの間の期間（異常停止期間）が所定期間よりも短い場合が示されている。
【００７７】
当該異常の場合には、異常停止期間が短いため異常レベル判定として異常レベルが小さいと判定する。したがって、この場合には、一時メモリ４４に格納されている異常データをメモリ４５に保存しない。なお、異常データとしては、異常が発生した後と、異常が発生する前の所定範囲を異常データの保存範囲とする場合が示されている。
【００７８】
図７（Ｂ）を参照して、ここでは、異常が発生してプレス装置１０が停止してから運転が再開（復旧）されるまでの間の期間（異常停止期間）が所定期間以上の場合が示されている。
【００７９】
当該異常の場合には、異常停止期間が長いため異常レベル判定として異常レベルが大きいと判定する。したがって、この場合には、一時メモリ４４に格納されている異常データをメモリ４５に保存する。なお、異常データとしては、異常が発生した後と、異常が発生する前の所定範囲を異常データの保存範囲とする保存する場合が示されている。
【００８０】
図７（Ｃ）を参照して、ここでは、異常が発生してプレス装置１０が停止してから生産モード以外の運転が実行された場合が示されている。例えば、スライド高さを調節する寸動運転が行なわれた場合が示されている。
【００８１】
この場合には、生産モード以外の運転については、運転が再開（復旧）されたとは判断されず、生産モード以外の運転期間中も異常停止期間に含めて運転が再開（復旧）されるまでの間の期間（異常停止期間）が所定期間以上の場合が示されている。
【００８２】
当該場合は、生産モード以外の運転は、運転再開（復旧）ではないため異常停止期間が長い場合には、異常レベル判定として異常レベルが大きいと判定する。したがって、この場合には、一時メモリ４４に格納されている異常データをメモリ４５に保存する。なお、異常データとしては、異常が発生した後と、異常が発生する前の所定範囲を異常データの保存範囲とする保存する場合が示されている。これにより、異常レベルが大きいと判定される可能性のある異常が異常レベルが小さいと判定される誤判定を防止し、判定の精度を高くすることが可能である。
【００８３】
＜制御フロー＞
図８は、実施形態１に基づくプレスシステムの異常レベルを処理するフローを説明する図である。当該フローを実現するためのプログラムは、メモリ４５に予め格納されており、当該プログラムを実行することにより実現されるものである。以降で説明するフローについても同様である。
【００８４】
図８に示されるように、制御装置４０は、異常が有るか否かを判断する（ステップＳ２）。具体的には、検出部４０２は、センサ５０からの異常を検出したか否かを判断する。
【００８５】
次に、制御装置４０は、異常が有ると判断した場合（ステップＳ２においてＹＥＳ）には、次に、停止期間のカウントを開始する（ステップＳ４）。具体的には、検出部４０２は、カウント部４１２に指示して異常によるプレス装置１０の停止している期間（異常停止期間）をカウントする。
【００８６】
次に、制御装置４０は、動作が有るかどうかを判断する（ステップＳ６）。具体的には、プレス制御部４００は、異常発生によりプレス加工が停止した場合に、異常が解消した後運転を再開する。プレス制御部４００による運転が再開された場合に動作が有ると判断する。
【００８７】
次に、制御装置４０は、ステップＳ６において、動作が無いと判断した場合（ステップＳ６においてＮＯ）にはその状態を維持し、動作が有ると判断した場合（ステップＳ６においてＹＥＳ）には、寸動運転であるか否かを判断する（ステップＳ８）。具体的には、プレス制御部４００は、運転再開として寸動運転が開始されたか否かを判断する。寸動運転モードで運転されているか否かにより判断することが可能である。
【００８８】
ステップＳ８において、制御装置４０は、寸動運転でないと判断した場合（ステップＳ８においてＮＯ）には、停止期間のカウントを停止する（ステップＳ１０）。具体的には、プレス制御部４００は、寸動運転で無い場合には、運転再開に従ってカウント部４１２のカウントを停止する。
【００８９】
一方、ステップＳ８において、制御装置４０は、寸動運転であると判断した場合（ステップＳ８においてＹＥＳ）には、ステップＳ６に戻る。したがって、カウント動作を停止させない。具体的には、プレス制御部４００は、寸動運転が開始された場合には、カウント部４１２にカウントの停止を指示しない。
【００９０】
次に、制御装置４０は、停止期間が所定期間以上であるか否かを判断する（ステップＳ１２）。具体的には、異常判断部４０４は、カウントした異常停止期間が所定期間以上であるか否かを判断する。
【００９１】
次に、制御装置４０は、停止期間が所定期間以上であると判断した場合（ステップＳ１２においてＹＥＳ）には、異常レベルが大きいと判定する（ステップＳ１４）。具体的には、異常判断部４０４は、カウント部４１２でカウントした異常停止期間が所定期間以上であるかと判断した場合には、異常レベルが大きいと判定する。プレス運転の再開（復旧）に時間がかかる場合（異常停止期間が長い場合）には異常レベルが大と判断することが可能である。
【００９２】
そして、制御装置４０は、保存処理を実行する（ステップＳ１６）。具体的には、異常保存部４０６は、異常判断部４０４の判断結果（異常レベルが大きい）に基づいて異常データを保存する保存処理を実行する。
【００９３】
そして、制御装置４０は、発報処理を実行する（ステップＳ１８）。具体的には、異常発報部４１６は、異常判断部４０４の判断結果（異常レベルが大きい）に基づいて異常レベルに関する発報処理を実行する。例えば、異常発報部４１６は、コントロールパネル６の表示器にエラー表示する。あるいは、異常発報部４１６によりエラー音を出力する。また、異常発報部４１６は、異常判断部４０４の判断結果（異常レベルが大きい）に基づいて異常データを保存することを発報するようにしても良い。
【００９４】
そして、処理を終了する（エンド）。
一方、ステップＳ１２において、制御装置４０は停止期間が所定期間以上で無いと判断した場合（ステップＳ１０においてＮＯ）には、異常レベルが小さいと判断する（ステップＳ２０）。具体的には、異常判断部４０４は、カウント部４１２でカウントした異常停止期間が所定期間以上で無い（所定期間未満）と判断した場合には、異常レベルが小さいと判定する。プレス運転の再開（復旧）に時間がかからない場合（異常停止期間が短い場合）には異常レベルが小と判断することが可能である。
【００９５】
そして、処理を終了する（エンド）。したがって、この場合には、保存処理および発報処理は実行しない。異常保存部４０６および異常発報部４１６は、異常判断部４０４の判断結果（異常レベルが小さい）に基づいて異常データを保存する処理を実行しない。
【００９６】
当該処理により、異常が発生した後のプレス動作の停止期間（異常停止期間）に基づいて異常レベルを判断するため簡易な方式で異常レベルを判断することが可能である。
【００９７】
そして、異常停止期間が長い場合に異常レベルを大と判定し、異常停止期間が短い場合に異常レベルを小と判定する。そして、異常レベルの大小の判定に基づいて異常データを保存する処理を実行するため、異常レベルが大の異常データに注目して解析することが可能となり、解析処理も容易となる。異常レベルが小の異常データを保存しないことにより記憶容量の点でも有利であり、確保するメモリの容量を低減することも可能である。また、異常レベルの大小の判定に基づいて異常データの発報処理を実行するため異常レベルが大の異常データに注目することが可能であり、異常レベルが小の異常の発報処理による作業効率の低下を抑制することが可能である。
【００９８】
なお、上記においては、異常発報部４１６は、異常判断部４０４の判断結果（異常レベルが大きい）に基づいて異常レベルに関する発報処理を実行する場合について説明したが、異常レベルのみならず、異常を発報するようにしても良い。また、いずれか一方としても良い。例えば、プレス動作の停止期間（異常停止期間）が長いことに関する異常を発報するようにしても良い。
【００９９】
＜異常データの保存＞
図９は、実施形態に基づく異常データの保存について説明する概念図である。
【０１００】
図９に示されるように、異常停止期間が所定期間以上である場合には、異常レベル判定において、異常レベルが大であると判定する。
【０１０１】
本例において示されるように、一時メモリ４４には順次格納される状態量のうち異常発生地点の前後の所定範囲の状態量を異常データとして指定する。そして、当該異常データを保存範囲としてメモリ４５に格納（保存）する。
【０１０２】
当該異常データをメモリ４５に格納（保存）するか否かは、異常停止期間が所定期間以上であるか否かに基づいて判断される。
【０１０３】
（実施形態２）
図１０は、実施形態２に基づく制御装置４０Ａの機能ブロックを説明する図である。
【０１０４】
図１０に示されるように、制御装置４０Ａは、図６で説明した制御装置４０と比較して、異常保存部４０６を異常保存部４０６＃に置換した点が異なる。その他の構成については図６で説明したのと同様であるのでその詳細な説明については繰り返さない。
【０１０５】
異常保存部４０６＃は、問合わせ部４０８と、実行部４１０とを含む。
問合わせ部４０８は、ユーザに異常データを保存するか否かを問い合わせる。また、問合わせ部４０８は、当該問い合わせに対するユーザの回答を受け付ける。具体的には、問合わせ部４０８は、コントロールパネル６の表示器に問合わせ画面を表示する。
【０１０６】
実行部４１０は、問合わせ部４０８に対するユーザからの回答に基づいて保存処理を実行する。
【０１０７】
図１１は、実施形態２に基づく問合わせ画面を説明する図である。
図１１に示されるように、問合わせ部４０８は、コントロールパネル６の表示器に対して問合わせ画面３００を表示するように指示する。
【０１０８】
問合わせ画面３００には、「異常データとして保存しますか」のメッセージとともに、「はい」ボタン３０２と、「いいえ」ボタン３０４とが設けられている場合が示されている。
【０１０９】
「はい」ボタン３０２の選択が有る場合には、問合わせ部４０８は、異常データを保存の指示を受け付ける。
【０１１０】
「いいえ」ボタン３０４の選択が有る場合には、問合わせ部４０８は、異常データを保存しないとの指示を受け付ける。
【０１１１】
問合わせ部４０８は、ユーザからの保存の指示あるいは保存しないとの指示に従って実行部４１０に指示する。
【０１１２】
具体的には、問合わせ部４０８は、「はい」ボタン３０２の選択に従う保存するとの指示を受け付けた場合には、実行部４１０に指示する。実行部４１０は、一時メモリ４４に格納されている異常データをメモリ４５に保存する。
【０１１３】
一方、問合わせ部４０８は、「いいえ」ボタン３０４の選択に従う保存しないとの指示を受け付けた場合には、実行部４１０に保存の指示をしない。この場合、実行部４１０は、一時メモリ４４に格納されている異常データをメモリ４５に保存しない。
【０１１４】
例えば、プレス装置１０が異常を検知して、プレス動作が停止した後、軽微な異常であってもすぐに復旧動作をせずにプレス装置１０から離れることも考えられる。
【０１１５】
上記の実施形態１においては、異常停止期間が所定期間以上である場合には異常レベルが大であると判定するため、復旧動作のタイミングによっては軽微な異常の場合にも異常が大として判定される結果となる。これにより異常データがメモリ４５に保存される。
【０１１６】
したがって、当該状況を考慮してユーザに保存の有無を問い合わせることにより、軽微な異常を排除して異常レベルが大きい異常データを確実に保存することが可能である。
【０１１７】
図１２は、実施形態２に基づくプレスシステムの異常レベルを処理するフローを説明する図である。
【０１１８】
図１２に示されるように、図８で説明したフロー図と比較して、ステップＳ１５ＡおよびＳ１５Ｂを追加した点が異なる。その他の処理については図８で説明したのと同様であるのでその詳細な説明については繰り返さない。
【０１１９】
制御装置４０は、ステップＳ１４において、異常レベルが大きいと判定した後、次に、問合わせ処理を実行する（ステップＳ１５Ａ）。具体的には、問合わせ部４０８は、コントロールパネル６の表示器に対して図１１で説明した問合わせ画面３００を表示するように指示する。
【０１２０】
次に、制御装置４０は、保存指示が有るかどうかを判断する（ステップＳ１５Ｂ）。具体的には、問合わせ部４０８は、問合わせ画面３００において、ユーザから「はい」ボタン３０２の選択に従う保存指示を受け付けたか否かを判断する。
【０１２１】
次に、制御装置４０は、保存指示が有ると判断した場合（ステップＳ１５ＢにおいてＹＥＳ）には、保存処理を実行する（ステップＳ１６）。具体的には、実行部４１０は、保存指示に基づいて一時メモリ４４に格納されている異常データをメモリ４５に保存する保存処理を実行する。
【０１２２】
一方、制御装置４０は、保存指示が無いと判断した場合（ステップＳ１５ＢにおいてＮＯ）には、ステップＳ１６およびＳ１８をスキップして処理を終了する（エンド）。具体的は、異常保存部４０６＃における保存処理および異常発報部４１６における発報処理は実行されない。
【０１２３】
したがって、ユーザに保存の有無を問い合わせて、保存の意思を確認しつつ、異常レベルが大きい異常データを確実に保存することが可能である。
【０１２４】
（実施形態３）
図１３は、実施形態３に基づく制御装置４０Ｂの機能ブロックを説明する図である。
【０１２５】
図１３に示されるように、制御装置４０Ｂは、図６で説明した制御装置４０と比較して、異常内容判断部４１４をさらに含む点で異なる。その他の構成については図６で説明したのと同様であるのでその詳細な説明については繰り返さない。
【０１２６】
異常内容判断部４１４は、検出部４０２で検出した異常の異常内容を判断する。
図１４は、実施形態３に基づくプレスシステムの異常レベルを処理するフローを説明する図である。
【０１２７】
図１４に示されるように、図８で説明したフロー図と比較して、ステップＳ３Ａ，Ｓ３Ｂ，Ｓ３Ｃとをさらに追加した点が異なる。その他の処理については図８で説明したのと同様であるのでその詳細な説明については繰り返さない。
【０１２８】
制御装置４０は、異常が有ると判断した場合（ステップＳ２においてＹＥＳ）には、異常内容を判断する（ステップＳ３Ａ）。具体的には、異常内容判断部４１４は、検出部４０２で検出した異常の異常内容を判断する。
【０１２９】
図１５は、実施形態３に基づく異常の異常内容の種別分類を説明する図である。
図１５に示されるように、ここでは異常レベルＡ〜Ｃの３つの種別が設けられ、分類されている場合が示されている。異常レベルＡが異常の重要度として高く、異常レベルＣが異常の重要度として低いものとして分類されている。
【０１３０】
具体的には、異常レベルＡとしては、一例としてエンコーダ異常が挙げられている。
異常レベルＢとしては、一例としてオーバーロード異常が挙げられている。
【０１３１】
異常レベルＣとしては、一例としてバッテリ異常が挙げられている。
なお、ここで挙げられている異常内容は一例であり、他の異常内容を含めることも当然可能である。
【０１３２】
本例においては、一例として、当該異常の異常内容としては、センサからの検出信号により判断が可能であるものとする。例えば、エンコーダ異常を検出するためのセンサからの検出信号であればエンコーダ異常であると判定することが可能である。
【０１３３】
過負荷異常を検出するためのセンサからの検出信号であればオーバーロード異常であると判定することが可能である。
【０１３４】
バッテリの電圧あるは電流異常を検出するためのセンサからの検出信号であればバッテリ異常であると判定することが可能である。
【０１３５】
異常内容判断部４１４は、検出部４０２で検出したセンサからの検出信号に基づいて異常内容（異常レベルＡ〜Ｃ）を判断する。
【０１３６】
再び図１４を参照して、次に、制御装置４０は、異常内容が異常レベルＡであるか否かを判断する（ステップＳ３Ｂ）。
【０１３７】
ステップＳ３Ｂにおいて、制御装置４０は、異常内容が異常レベルＡであると判断した場合（ステップＳ３ＢにおいてＹＥＳ）には、ステップＳ１４に進み、異常レベルが大きいと判定する。以降の処理は、図８で説明したのと同様である。
【０１３８】
一方、ステップＳ３Ｂにおいて、制御装置４０は、異常内容が異常レベルＡでないと判断した場合（ステップＳ３ＢにおいてＮＯ）には、異常内容が異常レベルＢであるか否かを判断する（ステップＳ３Ｃ）。
【０１３９】
ステップＳ３Ｃにおいて、制御装置４０は、異常内容が異常レベルＢであると判断した場合（ステップＳ３ＣにおいてＹＥＳ）には、ステップＳ４に進み、停止期間のカウントを開始する（ステップＳ４）。以降の処理は、図８で説明したのと同様である。
【０１４０】
一方、ステップＳ３Ｃにおいて、制御装置４０は、異常内容が異常レベルＣであると判断した場合（ステップＳ３ＣにおいてＮＯ）には、ステップＳ２０に進み、異常レベルが小さいと判定する。以降の処理は、図８において説明したのと同様である。
【０１４１】
実施形態２に従う方式により、異常内容も考慮して異常レベルを判定することにより、より精度の高い異常レベルの判定が可能である。また、異常内容によって異常レベルの判断が容易なものは、当該内容に基づいて判定されるため効率的な判定が可能である。
【０１４２】
また、異常内容に基づいて異常データが保存されるため必要な異常データが保存され、効率的に異常データを保存することが可能である。
【０１４３】
なお、上記においては、異常内容判断部４１４において、異常内容を判断する方式として、センサからの検出信号に基づいて異常内容を判断する場合について説明したが特にこれに限られず、異常が発生した際の状態量に基づいて異常内容を判断するようにしても良く、その方式には限定されない。
【０１４４】
（その他の形態）
図１６は、実施形態に基づくプレスシステムの別の形態を説明する図である。
【０１４５】
図１６に示されるように、ここでは、プレス装置１０と通信可能に設けられた外部装置３０が設けられている。外部装置３０の一例としては、サーバを利用することが可能である。
【０１４６】
プレス装置１０の異常発報部４１６は、上記の実施形態においては、コントロールパネル６の表示器にエラー表示する場合について主に説明したが、特にこれに限られず異常レベルの発報処理として外部装置３０に送信することも可能である。
【０１４７】
具体的には、異常発報部４１６は、異常データを外部装置３０に送信するようにしても良い。当該処理により、外部装置３０において、プレス装置１０から送信された異常データを受信することにより、外部装置３０側で取得した異常データに基づく解析処理を実行することが可能である。これにより、プレス装置１０側で復旧処理に時間がかかった場合の原因解析等を早期に実行することが可能である。
【０１４８】
また、他の実施形態においては、プレス装置１０において実行される情報処理の少なくとも一部が、ネットワーク（広域ネットワークおよび／またはローカルネットワーク）によって通信可能な複数の装置によって分散して実行されてもよい。例えば、一部の処理を外部装置３０で実行するようにすることも可能である。
【０１４９】
例えば、外部装置３０に異常判断部４０４の機能を持たせるようにしても良い。例えば、外部装置３０の異常判断部４０４が、プレス装置１０で発生した異常発生信号を受信し、異常停止期間（停止期間情報）と異常発生信号とに基づいて異常レベルを判断するようにしても良い。そして、外部装置３０の異常判断部４０４の判断の結果に基づいて異常および異常レベルの少なくとも一方を発報するように指示する発報指示データをプレス装置１０に送信するようにしても良い。そして、プレス装置１０において発報指示データを受信して異常および異常レベルの少なくとも一方を発報するようにしても良い。なお、異常停止期間は、外部装置３０でカウントしても良いし、プレス装置１０のカウント結果を利用するようにしても良い。
【０１５０】
また、上記の実施形態においては、運転が再開されてから異常レベルの判定を実行する方式について説明したが、特にこれに限られず、異常停止期間が所定期間以上経過したと判断した際に異常レベルを判定して、異常データを保存するようにすることも可能である。
【０１５１】
また、当該場合に、プレス装置１０から外部装置３０に異常データを発報（送信）する処理を実行するようにして早期にプレス装置１０の異常を判断するようにすることも可能である。
【０１５２】
なお、上記の実施形態においては、異常停止期間が所定期間以上か否かに従って異常レベルの大小を判断する方式について説明したが、これに限られず、異常停止期間として複数の閾値となる所定期間を設けて、異常レベルをさらに複数のレベルに分類して判断するようにすることも可能である。当該処理によりさらに精度の高い異常判断が可能である。
【０１５３】
なお、上記においては、順送型のプレス機械について適用可能である場合について説明したが、トランスファー型のプレス機械にも同様に適用可能であり、特にこれに限られず、他のプレス機械にも利用することができる。
【０１５４】
なお、本例においては、制御装置４０の各部の機能構成としてプレス機械に設けられる構成について説明したが、特に当該プレス機械に限られるものではなく、プレス機械を含むプレスシステムとすることも可能である。例えば、ネットワークを介して外部サーバと接続されている場合には、当該外部サーバのＣＰＵと連携して各部の機能を実行することも可能である。また、プレス機械の表示器に表示する構成に限定されるのではなく、ネットワークを介してプレス機械と接続可能な端末の表示器に表示することも可能である。
【０１５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５６】
２  本体フレーム、４  ベッド、５  ボルスタ、６  コントロールパネル、１０  プレス装置、２０  スライド、３０  外部装置、３２Ａ  上金型、３２Ｂ  下金型、４０  制御装置、４４  メモリ、４６  通信回路、４００  プレス制御部、４０２  検出部、４０４  異常判断部、４０６，４０６＃  異常保存部、４０８  問合わせ部、４１０  実行部、４１２  カウント部、４１４  異常内容判断部、４１６  異常発報部、７０  リモコン、１００  アンコイラ、１１０  メインシャフト、１１０Ａ  エキセン部、１１５  メインギア、２００  レベラーフィーダ。
【図１】
2017024027.tif 000003
【図２】
2017024027.tif 000004
【図３】
2017024027.tif 000005
【図４】
2017024027.tif 000006
【図５】
2017024027.tif 000007
【図６】
2017024027.tif 000008
【図７】
2017024027.tif 000009
【図８】
2017024027.tif 000010
【図９】
2017024027.tif 000011
【図１０】
2017024027.tif 000012
【図１１】
2017024027.tif 000013
【図１２】
2017024027.tif 000014
【図１３】
2017024027.tif 000015
【図１４】
2017024027.tif 000016
【図１５】
2017024027.tif 000017
【図１６】
2017024027.tif 000018